(57)【要約】【課題】構成の簡素化及び点検作業の省略化を図ることができ、さらには、天然ガスの流量調整範囲を大きくし、しかも、天然ガスの流量が変動しても適切に熱量調整用の液化ガスを混合して蒸発させることができる熱量調整装置を提供する。【解決手段】ガス供給路１に対して並列接続される複数の混合器Ｍの夫々が、漸次小径となる入口側ガス流路Ｒ１と漸次大径となる出口側ガス流路Ｒ２とを備え、且つ、液化ガスを滲みだす状態で供給する液化ガス供給口が入口側ガス流路Ｒ１の下流側端部の内面部に形成される形態に構成され、運転制御部が、天然ガスの基準状態での目標流量に応じて、混合器Ｍを通して流動する天然ガスの基準状態での流量の合計値を目標流量とし且つ混合器Ｍを通して流動する天然ガスの実流量を適正範囲とすべく、複数の天然ガス流動制御部Ｆを制御するように構成されている。【選択図】図１
2020147700.tif 000002
【特許請求の範囲】
【請求項１】
ガス供給路を流動する天然ガスに対して熱量調整用の液化ガスを混合する熱量調整装置であって、
前記ガス供給路に対して並列接続される複数の混合器の夫々が、下流側ほど漸次小径となる入口側ガス流路と、当該入口側ガス流路の下流端から下流側に向けて漸次大径となる出口側ガス流路とを備え、且つ、前記液化ガスを滲みだす状態で供給する液化ガス供給口が前記入口側ガス流路の下流側端部の内面部に形成される形態に構成され、
前記複数の混合器の夫々について、前記天然ガスの供給を断続しかつ前記天然ガスの供給量を調整する複数の天然ガス流動制御部、及び、前記液化ガスの供給を断続しかつ前記液化ガスの供給量を調整する複数の液化ガス流動制御部が設けられ、
運転制御部が、前記天然ガスの基準状態での目標流量に応じて、前記混合器を通して流動する前記天然ガスの前記基準状態での流量の合計値を前記目標流量とし且つ前記混合器を通して流動する前記天然ガスの実流量を適正範囲とすべく、複数の前記混合器のうちで前記天然ガスを供給する前記混合器を設定しかつ前記混合器に供給する前記天然ガスの供給量を設定するように前記複数の天然ガス流動制御部を制御し、かつ、前記天然ガスを供給中の前記混合器に対して前記天然ガスを目標熱量状態にする目標量の前記液化ガスを供給するように前記液化ガス流動制御部を制御するように構成されている熱量調整装置。
【請求項２】
前記運転制御部が、前記目標流量が増加された場合において、当該目標流量にするために前記天然ガスを供給中の前記混合器に対する前記天然ガスの供給量を増加することにより、当該混合器を通して流動する前記天然ガスの実流量が前記適正範囲の上限を超えるときには、
先ず、前記混合器を通して流動する前記天然ガスの実流量が前記適正範囲の上限に相当する供給量となるように前記混合器に前記天然ガスを供給し、かつ、前記目標流量の前記天然ガスに供給する前記液化ガスの全量を、前記天然ガスの実流量が前記適正範囲の上限となる前記混合器に供給する増加用初期調整処理を実行し、
次に、前記天然ガスの実流量が前記適正範囲の上限に達した前記混合器に供給する前記天然ガスの供給量を減少しかつ新たに前記天然ガスの供給を開始する前記混合器に対する前記天然ガスの供給量を増加させる増加用増減調整処理を実行し、
その後、前記天然ガスの供給量を減少させる前記混合器における前記天然ガスの供給量と前記天然ガスの供給量を増加させる前記混合器における前記天然ガスの供給量とが同じになったときに、前記目標流量の前記天然ガスに供給する前記液化ガスを、前記天然ガスの供給量を減少させた前記混合器と前記天然ガスの供給量を増加させた前記混合器とに分割して供給する液化ガス分割供給処理を実行し、
その後、前記天然ガスの供給量を減少させた前記混合器と前記天然ガスの供給量を増加させた前記混合器とを流動する前記天然ガスの前記基準状態での供給量の合計値が前記目標流量になるように、前記天然ガスの供給量を減少させた前記混合器と前記天然ガスの供給量を増加させた前記混合器とに供給する前記天然ガスの供給量を増加させる増加用後期調整処理を実行する請求項１に記載の熱量調整装置。
【請求項３】
前記運転制御部が、前記目標流量が減少された場合において、当該目標流量にするために前記液化ガスを供給する複数の前記混合器に対する前記天然ガスの供給量を減少することにより、当該混合器を通して流動する前記天然ガスの実流量が前記適正範囲の下限を下回るときには、
先ず、前記目標流量の前記天然ガスに供給する前記液化ガスの全量を、前記天然ガスの供給を継続する前記混合器に供給し、かつ、前記天然ガスの供給を停止する前記混合器に対する前記液化ガスの供給を停止する減少用初期調整処理を実行し、
その後、前記液化ガスの供給を継続する前記混合器に対する前記天然ガスの供給量を前記目標流量となるように調整し且つ前記液化ガスの供給を停止する前記混合器に対する前記天然ガスの供給を停止する減少用後期調整処理を実行する請求項１又は２に記載の熱量調整装置。
【請求項４】
前記運転制御部が、前記減少用初期調整処理を実行した後に、前記天然ガスの供給を停止する前記混合器に対して、パージ用供給量の前記天然ガスを供給し、かつ、前記天然ガスの供給を継続する前記混合器に対して、前記目標流量に対応する前記天然ガスの供給量から前記パージ用供給量を減算した量の前記天然ガスを供給する状態を設定時間継続するパージ処理を実行し、
その後、前記減少用後期調整処理を実行するように構成されている請求項３に記載の熱量調整装置。
【請求項５】
前記混合器に供給する前記天然ガスを加熱する天然ガス加熱部が設けられている請求項１〜４のいずれか１項に記載の熱量調整装置。
【請求項６】
前記混合器に供給する前記液化ガスを加熱する液化ガス加熱部が設けられている請求項１〜５のいずれか１項に記載の熱量調整装置。
【請求項７】
前記液化ガス供給口から滲みだす状態で供給する前記液化ガスを貯留する液化ガス供給部の底部に滞留する前記液化ガスを回収タンクに流動させる回収路、当該回収路を開閉する開閉弁、及び、前記回収タンクに回収された前記液化ガスを複数の前記液化ガス供給口に搬送する搬送部が設けられている請求項１〜６のいずれか１項に記載の熱量調整装置。
【発明の詳細な説明】
【技術分野】
【０００１】
本発明は、ガス供給路を流動する天然ガスに対して熱量調整用の液化ガスを混合する熱量調整装置に関する。
【背景技術】
【０００２】
かかる熱量調整装置は、液化天然ガス（ＬＮＧ）を気化した天然ガスを都市ガスとして供給する場合において、天然ガスに対して熱量調整用の液化ガスを混合して蒸発させることにより、都市ガスの熱量を適正範囲に調整するものである。
尚、熱量調整用の液化ガスとしては、ＬＰＧが用いられる場合が多いが、プロパンやブタン等を用いる場合もある。
【０００３】
このような熱量調整の従来例として、ガス供給路に接続されるベンチュリー管を設け、当該ベンチュリー管の内部におけるのど部よりも上流側箇所に、熱量調整用の液化ガスとしての液化石油ガスを下流側に噴出する液化ガス供給管を設けたものがある（例えば、特許文献１参照。）。
【０００４】
尚、特許文献１の図５には、液化ガス供給管に対応させて、流線形状のカルマン渦低減装置を設けることが記載されている。
【先行技術文献】
【特許文献】
【０００５】
【特許文献１】特許第６２４５５４４号公報
【発明の概要】
【発明が解決しようとする課題】
【０００６】
従来の熱量調整装置においては、ベンチュリー管の内部にＬＰＧ供給管を設けるものであるから、ＬＰＧ供給管をベンチュリー管の内部に設置するために全体構成が複雑となるものであり、しかも、ＬＰＧ供給管の下流側にカルマン渦が発生することにより、ベンチュリー管の内壁部等が損傷する虞があるため、定期的な点検と損傷時には交換が必要であった。
ちなみに、特許文献１においては、カルマン渦低減装置を設けてはいるが、カルマン渦の発生を無くすことができないものであり、定期的な点検を欠かせないものとなると考えられる。
【０００７】
本発明は、上記実状に鑑みて為されたものであって、その目的は、構成の簡素化及び点検作業の省略化を図ることができ、さらには、天然ガスの流量調整範囲を大きくし、しかも、天然ガスの流量が変動しても適切に熱量調整用の液化ガスを混合して蒸発させることができる熱量調整装置を提供する点にある。
【課題を解決するための手段】
【０００８】
本発明の熱量調整装置は、ガス供給路を流動する天然ガスに対して熱量調整用の液化ガスを混合するものであって、その特徴構成は、
前記ガス供給路に対して並列接続される複数の混合器の夫々が、下流側ほど漸次小径となる入口側ガス流路と、当該入口側ガス流路の下流端から下流側に向けて漸次大径となる出口側ガス流路とを備え、且つ、前記液化ガスを滲みだす状態で供給する液化ガス供給口が前記入口側ガス流路の下流側端部の内面部に形成される形態に構成され、
前記複数の混合器の夫々について、前記天然ガスの供給を断続しかつ前記天然ガスの供給量を調整する複数の天然ガス流動制御部、及び、前記液化ガスの供給を断続しかつ前記液化ガスの供給量を調整する複数の液化ガス流動制御部が設けられ、
運転制御部が、前記天然ガスの基準状態での目標流量に応じて、前記混合器を通して流動する前記天然ガスの前記基準状態での流量の合計値を前記目標流量とし且つ前記混合器を通して流動する前記天然ガスの実流量を適正範囲とすべく、複数の前記混合器のうちで前記天然ガスを供給する前記混合器を設定しかつ前記混合器に供給する前記天然ガスの供給量を設定するように前記複数の天然ガス流動制御部を制御し、かつ、前記天然ガスを供給中の前記混合器に対して前記天然ガスを目標熱量状態にする目標量の前記液化ガスを供給するように前記液化ガス流動制御部を制御するように構成されている点にある。
ちなみに、上記の基準状態の流量とは、天然ガスの温度を所定温度とし且つ圧力を所定圧力とした場合の流量を意味するものであり、例えば、温度を零℃とし、かつ、圧力を１気圧（１ａｔｍ）とする状態を基準状態とする。
【０００９】
すなわち、下流側ほど漸次小径となる入口側ガス流路と、当該入口側ガス流路の下流端から下流側に向けて漸次大径となる出口側ガス流路とを備え、且つ、熱量調整用の液化ガスを滲みだす状態で供給する液化ガス供給口が入口側ガス流路の下流側端部の内面部に形成される形態に構成された混合器を、天然ガスが流動するガス供給路に設けて、熱量調整用の液化ガスを液化ガス供給口から滲みだす状態で供給することにより、天然ガスと液化ガスとを混合させて蒸発させることになる。
【００１０】
入口側流路と出口側流路とを備える混合器は、熱量調整用の液化ガスを滲みだす状態で供給する液化ガス供給口を入口側ガス流路の下流側端部の内面部に形成されるものであって、混合器の内部には、液化ガスを供給するための特別な配管類やノズルを備えないものであるから、簡素な構成であり、しかも、混合器の内部にカルマン渦が発生して損傷する虞がないため、定期的な点検を省略することができる。
【００１１】
しかも、天然ガスが流動するガス供給路に対して複数の混合器を並列接続して、運転制御部が、天然ガスの基準状態での目標流量に応じて、混合器を通して流動する天然ガスの基準状態での流量の合計値を目標流量とし且つ混合器を通して流動する天然ガスの実流量を適正範囲とすべく、複数の混合器のうちで天然ガスを供給する混合器を設定しかつ混合器に供給する天然ガスの供給量を設定するように複数の天然ガス流動制御部を制御し、かつ、天然ガスを供給中の混合器に対して天然ガスを目標熱量状態にする目標量の液化ガスを供給するように液化ガス流動制御部を制御するものであるから、天然ガスの流量調整範囲を大きくし、しかも、天然ガスの流量が変動しても適切に熱量調整用の液化ガスを混合して蒸発させることができる。
【００１２】
説明を加えると、液化ガスが液化ガス供給口から滲みだす状態で供給される混合器においては、混合器の内部を流動する天然ガスの実流量（線速）が適正範囲にあるときには、液化ガスを微細化し、天然ガスと液化ガスとを適切に混合して蒸発させることができるものの、天然ガスの実流量が適正範囲の下限よりも少なくなると、液化ガスを微細化することが困難となり、天然ガスと液化ガスとを所定通り混合させて蒸発させることができないものとなり、また、天然ガスの実流量が適正範囲の上限を超えて多くなると、騒音を発生するものとなる。
【００１３】
このような実状に鑑みて、単一の混合器を用いるだけでは、天然ガスの流量調整範囲が小さいものとなるが、天然ガスが流動するガス供給路に対して並列状態で接続する複数の混合器を設けて、運転制御部が、天然ガスの基準状態での目標流量に応じて、混合器を通して流動する天然ガスの基準状態での流量の合計値を目標流量とし、かつ、混合器を通して流動する天然ガスの実流量を適正範囲とすべく、複数の混合器のうちで天然ガスを供給する混合器を設定するように複数の流動制御部を制御するものであるから、天然ガスの流量調整範囲を大きくすることができ、しかも、適切に熱量調整用の液化ガスを混合して蒸発させることができる。
【００１４】
つまり、天然ガスの目標流量の変動に応じて複数の混合器のうちで液化ガスの混合に使用する混合器の数を変更することにより、天然ガスの流量調整範囲を大きくすることができるのであり、しかも、混合器を通して流動する天然ガスの実流量が適正範囲となるものであるから、天然ガスの流量が変動しても適切に熱量調整用の液化ガスを混合して蒸発させることができる。
【００１５】
そして、運転制御部が、天然ガスを供給する混合器に対して天然ガスを目標熱量状態にする目標量の液化ガスを供給するように液化ガス流動制御部を制御することにより、天然ガスに対して目標量の液化ガスを混合させて、天然ガスを目標熱量状態に調整することができるのである。
【００１６】
要するに、本発明の熱量調整装置によれば、構成の簡素化及び点検作業の省略化を図ることができ、さらには、天然ガスの流量調整範囲を大きくし、しかも、天然ガスの流量が変動しても適切に熱量調整用の液化ガスを混合して蒸発させることができる。
【００１７】
本発明の熱量調整装置の更なる特徴構成は、前記運転制御部が、前記目標流量が増加された場合において、当該目標流量にするために前記天然ガスを供給中の前記混合器に対する前記天然ガスの供給量を増加することにより、当該混合器を通して流動する前記天然ガスの実流量が前記適正範囲の上限を超えるときには、
先ず、前記混合器を通して流動する前記天然ガスの実流量が前記適正範囲の上限に相当する供給量となるように前記混合器に前記天然ガスを供給し、かつ、前記目標流量の前記天然ガスに供給する前記液化ガスの全量を、前記天然ガスの実流量が前記適正範囲の上限となる前記混合器に供給する増加用初期調整処理を実行し、
次に、前記天然ガスの実流量が前記適正範囲の上限に達した前記混合器に供給する前記天然ガスの供給量を減少しかつ新たに前記天然ガスの供給を開始する前記混合器に対する前記天然ガスの供給量を増加させる増加用増減調整処理を実行し、
その後、前記天然ガスの供給量を減少させる前記混合器における前記天然ガスの供給量と前記天然ガスの供給量を増加させる前記混合器における前記天然ガスの供給量とが同じになったときに、前記目標流量の前記天然ガスに供給する前記液化ガスを、前記天然ガスの供給量を減少させた前記混合器と前記天然ガスの供給量を増加させた前記混合器とに分割して供給する液化ガス分割供給処理を実行し、
その後、前記天然ガスの供給量を減少させた前記混合器と前記天然ガスの供給量を増加させた前記混合器とを流動する前記天然ガスの前記基準状態での供給量の合計値が前記目標流量になるように、前記天然ガスの供給量を減少させた前記混合器と前記天然ガスの供給量を増加させた前記混合器とに供給する前記天然ガスの供給量を増加させる増加用後期調整処理を実行する点にある。
【００１８】
すなわち、目標流量が増加された場合において、当該目標流量にするために天然ガスを供給中の混合器に対する天然ガスの供給量を増加することにより、当該混合器を通して流動する天然ガスの実流量が適正範囲の上限を超えるときには、天然ガスを供給する混合器を増加させることになるが、その際に、運転制御部が、増加用初期調整処理、増加用増減調整処理、液化ガス分割供給処理、及び、増加用後期調整処理を順次実行することにより、天然ガスと液化ガスとを所定通り混合させて蒸発させる状態を維持しながら、目標流量の天然ガスを流動させる状態に調整できることになる。
【００１９】
説明を加えると、増加用初期調整処理においては、天然ガスを供給中の混合器を通して流動する天然ガスの実流量が適正範囲の上限に相当する供給量となるように、当該混合器に天然ガスを供給し、かつ、目標流量の天然ガスに供給する液化ガスの全量を、天然ガスの実流量が適正範囲の上限となる混合器に供給することによって、天然ガスと液化ガスとを所定通り混合させて蒸発させる状態を維持しながら、天然ガスの流量を増加させ、且つ、目標流量の天然ガスに供給する液化ガスの全量を天然ガスに供給するようにする。
【００２０】
増加用増減調整処理においては、天然ガスの実流量が適正範囲の上限に達した混合器に供給する天然ガスの供給量を減少しかつ新たに天然ガスの供給を開始する混合器に対する天然ガスの供給量を増加させるようにして、継続して天然ガスが供給される混合器に対して、実流量が適正範囲となる天然ガスを供給する状態を継続しながらも、新たに天然ガスを供給する混合器に対して、実流量が適正範囲となる天然ガスを供給する状態にする。
【００２１】
液化ガス分割供給処理においては、天然ガスを供給する状態を継続する混合器、及び、新たに天然ガスを供給する状態になった混合器に対して、目標流量の天然ガスに供給する液化ガスを分割して供給するようにする。
この状態においては、天然ガスを供給する状態を継続する混合器及び新たに天然ガスを供給する状態になった混合器には、実流量が適正範囲となる天然ガスが供給されているから、天然ガスと液化ガスとを所定通り混合させて蒸発させることができる。
【００２２】
ちなみに、例えば、天然ガスを供給する状態を継続する混合器の数と新たに天然ガスを供給状態になった混合器の数とが同じである場合には、目標流量の天然ガスに供給する液化ガスが、天然ガスを供給する状態を継続する混合器と新たに天然ガスを供給する状態となった混合器とに同量となる状態で分割されることになる。
【００２３】
増加用後期調整処理においては、天然ガスの供給量を減少させた混合器（換言すれば、天然ガスの供給を継続する混合器）と、天然ガスの供給量を増加させた混合器（換言すれば、新たに天然ガスの供給を開始した混合器）とを流動する天然ガスの基準状態での供給量の合計値が目標流量になるように、天然ガスの供給量を減少させた混合器と天然ガスの供給量を増加させた混合器とに供給する天然ガスの供給量を増加させることにより、天然ガスと液化ガスとを所定通り混合させて蒸発させる状態を維持しながら、目標流量の天然ガスを流動させる状態に調整することになる。
【００２４】
要するに、本発明の熱量調整装置の更なる特徴構成によれば、目標流量が増加された場合において、天然ガスを供給する混合器の数を増加させるときにも、天然ガスと液化ガスとを所定通り混合させて蒸発させる状態を維持しながら、目標流量の天然ガスを流動させる状態に調整することができる。
【００２５】
本発明の熱量調整装置の更なる特徴構成は、前記運転制御部が、前記目標流量が減少された場合において、当該目標流量にするために前記液化ガスを供給する複数の前記混合器に対する前記天然ガスの供給量を減少することにより、当該混合器を通して流動する前記天然ガスの実流量が前記適正範囲の下限を下回るときには、
先ず、前記目標流量の前記天然ガスに供給する前記液化ガスの全量を、前記天然ガスの供給を継続する前記混合器に供給し、かつ、前記天然ガスの供給を停止する前記混合器に対する前記液化ガスの供給を停止する減少用初期調整処理を実行し、
その後、前記液化ガスの供給を継続する前記混合器に対する前記天然ガスの供給量を前記目標流量となるように調整し且つ前記液化ガスの供給を停止する前記混合器に対する前記天然ガスの供給を停止する減少用後期調整処理を実行する点にある。
【００２６】
すなわち、目標流量が減少された場合において、当該目標流量にするために天然ガスを供給している複数の混合器に対する天然ガスの供給量を減少することにより、当該混合器を通して流動する天然ガスの実流量が適正範囲の下限を下回るときには、天然ガスを供給する混合器を減少させることになるが、その際に、運転制御部が、減少用初期調整処理及び減少用後期調整処理を順次実行することになる。
【００２７】
説明を加えると、減少用初期調整処理においては、目標流量の天然ガスに供給する液化ガスの全量を、天然ガスの供給を継続する混合器に供給し、かつ、天然ガスの供給を停止する混合器に対する液化ガスの供給を停止することによって、天然ガスの供給を継続する混合器により、天然ガスと液化ガスとの混合を所定通り混合させて蒸発させる状態を維持させるようにする。
【００２８】
減少用後期調整処理においては、液化ガスの供給を継続する混合器に対する天然ガスの供給量を目標流量となるように調整し且つ液化ガスの供給を停止する混合器に対する天然ガスの供給を停止することによって、天然ガスの供給を継続する混合器により、天然ガスと液化ガスとを所定通り混合させる状態を維持させるようにしながら、目標流量の天然ガスを流動させる状態に調整する。
【００２９】
要するに、本発明の熱量調整装置の更なる特徴構成によれば、目標流量が減少された場合において、天然ガスを供給する混合器の数を減少させるときにも、天然ガスと液化ガスとを所定通り混合させて蒸発させる状態を維持しながら、目標流量の天然ガスを流動させる状態に調整することができる。
【００３０】
本発明の熱量調整装置の更なる特徴構成は、前記運転制御部が、前記減少用初期調整処理を実行した後に、前記天然ガスの供給を停止する前記混合器に対して、パージ用供給量の前記天然ガスを供給し、かつ、前記天然ガスの供給を継続する前記混合器に対して、前記目標流量に対応する前記天然ガスの供給量から前記パージ用供給量を減算した量の前記天然ガスを供給する状態を設定時間継続するパージ処理を実行し、
その後、前記減少用後期調整処理を実行するように構成されている点にある。
【００３１】
すなわち、目標流量が減少された場合において、天然ガスを供給する混合器の数を減少させる際に、運転制御部が、上記減少用初期調整処理を実行したのち、パージ処理を実行し、その後、上記減少用後期調整処理を実行することになる。
【００３２】
パージ処理においては、天然ガスの供給を停止する混合器に対して、パージ用供給量の天然ガスを供給し、かつ、天然ガスの供給を継続する混合器に対して、目標流量に対応する天然ガスの供給量からパージ用供給量を減算した量の天然ガスを供給する状態を設定時間継続させることになり、天然ガスの供給を停止する混合器の底部に液化ガスが滞留している場合には、その液化ガスをパージ用供給量の天然ガスにて、混合器の下流側に流動させることになる。
【００３３】
説明を加えると、熱量調整用の液化ガスは天然ガスよりも比重が大きいため、混合器に供給された液化ガスの一部が、混合器の底部に滞留する状態になる虞がある。
そして、混合器の底部に液化ガスが滞留する状態のままで、当該混合器に天然ガスの供給を開始すると、底部に滞留した液化ガスが一挙に混合器の下流側に流動して、混合器の下流側の天然ガスの熱量が、目標熱量状態から大きく外れた状態を生じる虞がある。
【００３４】
したがって、減少用初期調整処理を実行したのちに、パージ処理を実行し、その後、上記減少用後期調整処理を実行するようにすることにより、天然ガスの供給を停止する混合器の底部に滞留している液化ガスを、パージ用供給量の天然ガスにて混合器の下流側に流動させてから、天然ガスの供給を停止する混合器に対する天然ガスの供給を停止することによって、天然ガスの供給を停止する混合器の底部に液化ガスが滞留する状態になることを抑制することができる。
【００３５】
要するに、本発明の熱量調整装置の更なる特徴構成によれば、天然ガスの供給を停止する混合器の底部に液化ガスが滞留する状態になることを抑制することができる。
【００３６】
本発明の熱量調整装置の更なる特徴構成は、前記混合器に供給する前記天然ガスを加熱する天然ガス加熱部が設けられている点にある。
【００３７】
すなわち、冬季や寒冷地等においては、天然ガスに液化ガスを混合させた際に、液化ガスを蒸発させる熱量が不足する虞があるが、天然ガス加熱部にて混合器に供給する天然ガスを加熱することにより、液化ガスを蒸発させる熱量を、天然ガスに保持させることができる。
【００３８】
したがって、冬季や寒冷地等においても、天然ガスに液化ガスを混合させた際に、天然ガスに保持させた熱量にて液化ガスを適切に蒸発させることができる。
【００３９】
要するに、本発明の熱量調整装置の更なる特徴構成によれば、天然ガスに液化ガスを混合させた際に、液化ガスを適切に蒸発させることができる。
【００４０】
本発明の熱量調整装置の更なる特徴構成は、前記混合器に供給する前記液化ガスを加熱する液化ガス加熱部が設けられている点にある。
【００４１】
すなわち、冬季や寒冷地等においては、天然ガスに液化ガスを混合させた際に、液化ガスを蒸発させる熱量が不足する虞があるが、液化ガス加熱部にて混合器に供給する液化ガスを加熱することにより、液化ガスを蒸発し易い状態に予め加温することができる。
【００４２】
したがって、冬季や寒冷地等においても、天然ガスに液化ガスを混合させた際に、予め加温された液化ガスを適切に蒸発させることができる。
【００４３】
要するに、本発明の熱量調整装置の更なる特徴構成によれば、天然ガスに液化ガスを混合させた際に、液化ガスを適切に蒸発させることができる。
【００４４】
本発明の熱量調整装置の更なる特徴構成は、前記液化ガス供給口から滲みだす状態で供給する前記液化ガスを貯留する液化ガス供給部の底部に滞留する前記液化ガスを回収タンクに流動させる回収路、当該回収路を開閉する開閉弁、及び、前記回収タンクに回収された前記液化ガスを複数の前記液化ガス供給口に搬送する搬送部が設けられている点にある。
【００４５】
すなわち、混合器に対する天然ガスの供給を停止した状態において、液化ガス供給部の底部に液化ガスが滞留していると、当該液化ガスが蒸発して液化ガス供給口から流出することにより、入口側ガス流路や出口側ガス流路の内部に、蒸発した液化ガスが充満する状態になる虞がある。
そして、蒸発した液化ガスが入口側ガス流路や出口側ガス流路の内部に充満する状態のままで、当該混合器に天然ガスの供給を開始した際に、混合器の下流側の天然ガスの熱量が、目標熱量状態から大きく外れた状態を生じる虞がある。
【００４６】
本特徴構成によれば、混合器に対する天然ガスの供給を停止した際に、回収路を開閉する開閉弁を開いて、液化ガス供給部の底部に滞留する液化ガスを、回収路を通して回収タンクに回収できるため、液化ガス供給部の底部に液化ガスが滞留した状態になることを回避できる。
ちなみに、混合器に天然ガスを供給する際には、回収路を開閉する開閉弁を閉じることにより、液化ガス供給部の内部の液化ガスが回収タンクに流動しないようにする。
【００４７】
そして、回収タンクに回収された液化ガスを複数の液化ガス供給口に搬送する搬送部が設けられているから、混合器に天然ガスを供給する際に、回収タンクに回収された液化ガスを複数の液化ガス供給口に搬送することにより、回収タンクに回収された液化ガスを熱量調整用の液化ガスとして良好に使用することができる。
【００４８】
要するに、本発明の熱量調整装置の更なる特徴構成によれば、混合器の底部に液化ガスが滞留した状態になることを回避でき、しかも、回収タンクに回収された液化ガスを熱量調整用の液化ガスとして良好に使用することができる。
【図面の簡単な説明】
【００４９】
【図１】熱量調整装置を示す回路図である。
【図２】混合器の縦断側面図である。
【図３】制御構成を示すブロック図である。
【図４】増加処理を示すフローチャートである。
【図５】減少処理を示すフローチャートである。
【図６】別実施形態の熱量調整装置を示す回路図である。
【図７】更なる別実施形態の熱量調整装置を示す回路図である。
【発明を実施するための形態】
【００５０】
〔実施形態〕
以下、本発明の実施形態を図面に基づいて説明する。
（熱量調整装置の全体構成）
図１に示すように、熱量調整装置は、液化天然ガス（ＬＮＧ）を気化させた天然ガスに対して熱量調整用の液化ガスとしてのＬＰＧを混合するように構成されるものであって、天然ガスが流動するガス供給路１に対して複数の混合器Ｍが並列接続され、それら混合器Ｍからの熱量調整済みの天然ガスが、例えば都市ガスとして、合流路２を通して消費部に供給されるように構成されている。
【００５１】
混合器Ｍは、３つ以上の多数を設ける形態で実施できるものであるが、本実施形態においては、２つの混合器Ｍが設けられる場合について説明する。
すなわち、ガス供給路１と合流路２との間に、一対の分岐路３が設けられ、各分岐路３の夫々に混合器Ｍが設けられている。
【００５２】
混合器Ｍは、図２に示すように、下流側ほど漸次小径となる入口側ガス流路Ｒ１と、当該入口側ガス流路Ｒ１の下流端から下流側に向けて漸次大径となる出口側ガス流路Ｒ２とを備え、且つ、ＬＰＧを滲みだす状態で供給する液化ガス供給口４が入口側ガス流路Ｒ１の下流側端部の内面部に周方向に沿って並ぶ状態に形成される形態に構成されている。
説明を加えると、ＬＰＧが供給される環状の液化ガス供給部４Ａが、入口側ガス流路Ｒ１と出口側ガス流路Ｒ２との接続部を囲む状態で設けられ、液化ガス供給部４Ａに貯留されたＬＰＧが液化ガス供給口４から滲みだす状態で供給されるように構成されている。
【００５３】
図１に示すように、ガス供給路１には、天然ガスの熱量を計測する上手側熱量センサ５Ａが設けられ、また、合流路２には、ＬＰＧが混合された熱量調整済みの天然ガスの熱量を計測する下手側熱量センサ５Ｂ及び熱量調整済みの天然ガスの基準状態の流量を検出する流量センサ６が設けられている。
ちなみに、基準状態の流量とは、天然ガスの温度を所定温度とし且つ圧力を所定圧力にした場合の流量を意味するものであり、本実施形態では、温度を零℃とし、かつ、圧力を１気圧（１ａｔｍ）とする状態を基準状態とする。
【００５４】
一対の分岐路３の夫々における混合器Ｍの上流側箇所には、分岐路３を流動する天然ガスの基準状態の流量を検出する混合器用流量センサ７、分岐路３を流動する天然ガスの温度を計測する温度センサ８、及び、分岐路３を流動する天然ガスの圧力を計測する圧力センサ９が設けられている。
【００５５】
また、一対の分岐路３の夫々における混合器Ｍの上流側箇所には、混合器Ｍに対する天然ガスの供給を断続する天然ガス供給断続弁１０、及び、混合器Ｍに対する天然ガスの供給量を調整する天然ガス供給量調整弁１１が設けられている。
ちなみに、天然ガス供給断続弁１０と天然ガス供給量調整弁１１とから、天然ガスの供給を断続しかつ天然ガスの供給量を調整する天然ガス流動制御部Ｆが構成される。
【００５６】
ＬＰＧを各混合器Ｍの液化ガス供給口４（液化ガス供給部４Ａ）に供給する一対の液化ガス供給路１２が設けられ、各液化ガス供給路１２には、混合器Ｍに供給されるＬＰＧの流量を検出するＬＰＧ用流量センサ１３が設けられている。
【００５７】
また、各液化ガス供給路１２には、混合器Ｍに対するＬＰＧの供給を断続するＬＰＧ用供給断続弁１４、及び、混合器Ｍに対するＬＰＧの供給量を調整するＬＰＧ用流量調整弁１５が設けられている。
ちなみに、ＬＰＧ用供給断続弁１４とＬＰＧ用流量調整弁１５とから、ＬＰＧの供給を断続しかつＬＰＧの供給量を調整する液化ガス流動制御部Ｇが構成される。
【００５８】
（制御構成）
図３に示すように、天然ガス流動制御部Ｆ及び液化ガス流動制御部Ｇを制御する運転制御部Ｈが設けられ、この運転制御部Ｈに対して、天然ガスの基準状態での目標流量が統括制御部Ｋから指令されるように構成されている。
つまり、統括制御部Ｋは、天然ガスの消費量に応じて、液化天然ガス（ＬＮＧ）を気化して天然ガスを供給する天然ガス気化供給部の運転制御部（図示を省略）に対して、天然ガスの基準状態での目標供給量を指令し、同様に、熱量調整装置の運転制御部Ｈに対して、天然ガスの基準状態での目標流量を指令するように構成されている。
【００５９】
そして、運転制御部Ｈが、天然ガスの基準状態での目標流量に応じて、混合器Ｍを通して流動する天然ガスの基準状態での流量の合計値を目標流量とし且つ混合器Ｍを通して流動する天然ガスの実流量を適正範囲とすべく、複数の混合器Ｍのうちで天然ガスを供給する混合器Ｍを設定しかつ混合器Ｍに供給する天然ガスの供給量を設定するように複数の天然ガス流動制御部Ｆを制御し、かつ、天然ガスを供給する混合器Ｍに対して天然ガスを目標熱量状態にする目標量のＬＰＧ（液化ガス）を供給するように液化ガス流動制御部Ｇを制御するように構成されている。
【００６０】
ちなみに、本実施形態においては、天然ガスを混合器Ｍに供給する供給圧力は、３〜８ＭＰａＧであり、ＬＰＧを混合器Ｍの液化ガス供給口４に供給する供給圧力は、天然ガスの供給圧力に０．１〜０．２ＭＰａＧ程度を加えた圧力であり、混合器Ｍを通して流動する天然ガスの実流量の適正範囲は、混合器Ｍにおける入口側ガス流路Ｒ１と出口側ガス流路Ｒ２との接続箇所（最も流路断面積が小さい箇所）を流動する天然ガスの線速が、一例として、２０〜８０ｍ／ｓなる範囲に設定されている。
【００６１】
つまり、運転制御部Ｈが、指令された目標流量と流量センサ６にて検出される天然ガスの流量とに基づいて、混合器Ｍに供給する天然ガスの供給量の増加及び減少を判別し、天然ガスを増加させる場合には、天然ガスを供給する混合器Ｍの数を増加させることを含む形態で、混合器Ｍに供給する天然ガスの供給量を増加させる増加処理を実行し、かつ、天然ガスを減少させる場合には、天然ガスを供給する混合器Ｍの数を減少させることを含む形態で、混合器Ｍに供給する天然ガスの供給量を減少させる減少処理を実行するように構成されている。
尚、増加処理及び減少処理については後述するが、運転制御部Ｈは、増加処理及び減少処理を繰り返し実行することになる。
【００６２】
また、運転制御部Ｈが、上手側熱量センサ５Ａにて検出される天然ガスの熱量及び指令された目標流量に基づいて、天然ガスを目標熱量状態にするために供給するＬＰＧの目標量を求めて、求めた目標量のＬＰＧを供給するように液化ガス流動制御部Ｇを制御し、かつ、下手側熱量センサ５Ｂにて検出される天然ガスの熱量に基づいて、ＬＰＧの目標量を補正するＬＰＧ供給処理を実行するように構成されている。
【００６３】
つまり、運転制御部Ｈは、上手側熱量センサ５Ａにて検出される天然ガスの熱量に基づいて、単位量の天然ガスを目標熱量状態にするために必要とするＬＰＧの単位量を求め、求めたＬＰＧの単位量と指令された目標流量とに基づいて、ＬＰＧの目標量を求めることになる。
そして、運転制御部Ｈは、混合器用流量センサ７の検出情報が求めたＬＰＧの目標量になるようにＬＰＧ用流量調整弁１５を調整することになり、そして、下手側熱量センサ５Ｂにて検出される天然ガスの熱量に基づいて、熱量調整済みの天然ガスの熱量が目標熱量状態から外れている場合には、ＬＰＧの目標量を補正するように構成されている。
【００６４】
ちなみに、天然ガスが２台の混合器Ｍに供給される場合には、ＬＰＧの目標量を分割して分割目標量が各混合器Ｍに対して割り当てられ、各混合器Ｍに対して設けられている混合器用流量センサ７の検出値が分割目標量になるように、各混合器Ｍに対して設けられているＬＰＧ用流量調整弁１５が調整されることになる。
【００６５】
尚、運転制御部Ｈは、上記増加処理及び減少処理を実行する際において、天然ガスを供給する混合器Ｍの台数が変更されるに応じて、天然ガスの供給が停止された混合器Ｍに対するＬＰＧの供給を停止する等、増加処理及び減少処理においても液化ガス流動制御部Ｇを制御するように構成されている。
【００６６】
（増加処理の詳細）
図４に示すように、増加処理においては、先ず、指令された目標流量と流量センサ６にて検出される天然ガスの流量とを比較して、混合器Ｍに供給する天然ガスの供給量を増加させる必要があるか否かを判別する（＃１）。
＃１の処理にて、混合器Ｍに供給する天然ガスの供給量を増加させる必要がないと判別したときには、減少処理等他の処理に移行することになる。
【００６７】
＃１の処理にて、混合器Ｍに供給する天然ガスの供給量を増加させる必要があると判別したときには、続いて、天然ガスを供給する混合器Ｍの台数を増加させる必要があるか否かを判別する（＃２）。
つまり、指令された目標流量にするために天然ガスを供給中の混合器Ｍに対する天然ガスの供給量を増加することにより、当該混合器Ｍを通して流動する天然ガスの実流量が適正範囲の上限を超えるときには、天然ガスを供給する混合器Ｍの台数を増加させる必要があると判別し、当該混合器Ｍを通して流動する天然ガスの実流量が適正範囲の上限を超えないときには、天然ガスを供給する混合器Ｍの台数を増加させる必要がないと判別する。
【００６８】
ちなみに、当該混合器Ｍを通して流動する天然ガスの実流量は、混合器用流量センサ７にて検出される基準状態の天然ガスの流量、温度センサ８にて検出される天然ガスの温度、及び、圧力センサ９にて検出される天然ガスの圧力に基づいて、演算により求められることになる。
【００６９】
＃２の処理にて、天然ガスを供給する混合器Ｍの台数を増加させる必要がないと判別した場合には、天然ガスを供給中の混合器Ｍに対する天然ガスの供給量を、指令された目標流量にすべく増加させる供給量増加処理を実行し（＃３）、その後、減少処理等他の処理に移行することになる。
尚、供給量増加処理が実行されると、それに合わせて、指令された目標流量の天然ガスを目標熱量状態にするためにＬＰＧの供給量を調整するＬＰＧ供給処理が実行されることになる。
【００７０】
＃２の処理にて、天然ガスを供給する混合器Ｍの台数を増加させる必要があると判別した場合には、増加用初期調整処理（＃４）、増加用増減調整処理（＃５）、液化ガス分割供給処理（＃６）、及び、増加用後期調整処理（＃７）を順次実行し、その後、減少処理等他の処理に移行することになる。
【００７１】
増加用初期調整処理（＃４）においては、天然ガスを供給中の混合器Ｍを通して流動する天然ガスの実流量が適正範囲の上限に相当する供給量となるように混合器Ｍに天然ガスを供給し、かつ、目標流量の天然ガスに供給する液化ガスの全量を、天然ガスの実流量が適正範囲の上限となる混合器Ｍに供給する処理が実行される。
【００７２】
増加用増減調整処理（＃５）においては、天然ガスの実流量が適正範囲の上限に達した混合器Ｍに供給する天然ガスの供給量を減少しかつ新たに天然ガスの供給を開始する混合器Ｍに対する天然ガスの供給量を増加させることを、天然ガスの供給量を減少させる混合器Ｍにおける天然ガスの供給量と天然ガスの供給量を増加させる混合器Ｍにおける前記天然ガスの供給量とが同じになるまで行う処理が実行される。
【００７３】
液化ガス分割供給処理（＃６）においては、天然ガスの供給量を減少させる混合器Ｍにおける天然ガスの供給量と天然ガスの供給量を増加させる混合器Ｍにおける天然ガスの供給量とが同じになったときに、先ず、天然ガスの供給量を増加させる混合器Ｍに対して、微量の液化ガスを供給して液化ガスを充填する状態を設定時間（例えば、６分）継続し、その後、目標流量の天然ガスに供給する液化ガスを、天然ガスの供給量を減少させた混合器Ｍと天然ガスの供給量を増加させた混合器Ｍとに分割して供給する処理を実行する。
本実施形態においては、目標流量の天然ガスに供給する液化ガスが、一対の混合器Ｍに等量ずつ分割される。
【００７４】
増加用後期調整処理（＃７）においては、天然ガスの供給量を減少させた混合器Ｍと天然ガスの供給量を増加させた混合器Ｍとを流動する天然ガスの基準状態での供給量の合計値が目標流量になるように、天然ガスの供給量を減少させた混合器Ｍと天然ガスの供給量を増加させた混合器Ｍとに供給する天然ガスの供給量を増加させる処理が実行される。
【００７５】
（減少処理の詳細）
図５に示すように、減少処理においては、先ず、指令された目標流量と流量センサ６にて検出される天然ガスの流量とを比較して、混合器Ｍに供給する天然ガスの供給量を減少させる必要があるか否かを判別する（＃１１）。
＃１１の処理にて、混合器Ｍに供給する天然ガスの供給量を減少させる必要がないと判別したときには、増加処理等他の処理に移行することになる。
【００７６】
＃１１の処理にて、混合器Ｍに供給する天然ガスの供給量を減少させる必要があると判別したときには、続いて、天然ガスを供給する混合器Ｍの台数を減少させる必要があるか否かを判別する（＃１２）。
つまり、指令された目標流量にするために天然ガスを供給中の混合器Ｍに対する天然ガスの供給量を減少することにより、当該混合器Ｍを通して流動する天然ガスの実流量が適正範囲の下限を下回るときには、天然ガスを供給する混合器Ｍの台数を減少させる必要があると判別し、当該混合器Ｍを通して流動する天然ガスの実流量が適正範囲の下限を下回らないとき（下限以上のとき）には、天然ガスを供給する混合器Ｍの台数を減少させる必要がないと判別する。
【００７７】
ちなみに、当該混合器Ｍを通して流動する天然ガスの実流量は、混合器用流量センサ７にて検出される基準状態の天然ガスの流量、温度センサ８にて検出される天然ガスの温度、及び、圧力センサ９にて検出される天然ガスの圧力に基づいて、演算により求められることになる。
【００７８】
＃１２の処理にて、天然ガスを供給する混合器Ｍの台数を減少させる必要がないと判別した場合には、天然ガスを供給中の混合器Ｍに対する天然ガスの供給量を、指令された目標流量にすべく減少させる供給量減少処理を実行し（＃１３）、その後、増加処理等他の処理に移行することになる。
尚、供給量減少処理が実行されると、それに合わせて、指令された目標流量の天然ガスを目標熱量状態にするためにＬＰＧの供給量を調整するＬＰＧ供給処理が実行されることになる。
【００７９】
＃１２の処理にて、天然ガスを供給する混合器Ｍの台数を減少させる必要があると判別した場合には、減少用初期調整処理（＃１４）、パージ処理（＃１５）及び減少用後期調整処理（＃１６）を順次実行し、その後、増加処理等他の処理に移行することになる。
【００８０】
減少用初期調整処理（＃１４）においては、目標流量の天然ガスに供給する液化ガスの全量を、天然ガスの供給を継続する混合器Ｍに供給し、かつ、天然ガスの供給を停止する混合器Ｍに対する液化ガスの供給を停止させる処理が実行される。
【００８１】
パージ処理（＃１５）においては、天然ガスの供給を停止する混合器Ｍに対して、パージ用供給量の天然ガスを供給し、かつ、天然ガスの供給を継続する混合器Ｍに対して、目標流量に対応する天然ガスの供給量からパージ用供給量を減算した量の天然ガスを供給する状態を設定時間継続する処理が実行される。
【００８２】
減少用後期調整処理（＃１６）においては、液化ガスの供給を継続する混合器Ｍに対する天然ガスの供給量を目標流量となるように調整し且つ液化ガスの供給を停止する混合器Ｍに対する天然ガスの供給を停止する処理が実行される。
【００８３】
上述の如く、本実施形態においては、一対の混合器Ｍに天然ガスを供給する両者供給状態、一対の混合器Ｍの一方に天然ガスを供給する片側供給状態、片側供給状態から両者供給状態に切換える台数増加状態、及び、両者供給状態から片側供給状態に切換える台数減少状態のいずれにおいても、混合器Ｍに供給する天然ガスの実流量を適正範囲に維持することにより、ＬＰＧを天然ガスに混合して蒸発させることを適切に行うことができる。
【００８４】
〔別実施形態〕
次に、本発明の別実施形態を説明するが、この別実施形態の基本的な構成は上記実施形態と同様であるので、上記実施形態と同様な構成については、上記実施形態と同様な符号を付して詳細な説明を省略する。
【００８５】
図６に示すように、混合器Ｍに供給する天然ガスを加熱する天然ガス加熱部１６が、一対の分岐路３の夫々に設けられている。
また、混合器Ｍに供給する液化ガスを加熱する液化ガス加熱部１７が、一対の液化ガス供給路１２の夫々に設けられている。
【００８６】
天然ガス加熱部１６は、海水等の熱媒と天然ガスとを熱交換する熱交換式に構成されている。
同様に、液化ガス加熱部１７は、海水等の熱媒と液化ガスとを熱交換する熱交換式に構成されている。
【００８７】
このように、天然ガス加熱部１６及び液化ガス加熱部１７を設けることにより、冬季や寒冷地等においても、天然ガスに混合するＬＰＧ（液化ガス）を適切に蒸発させることができる。
【００８８】
ちなみに、天然ガス加熱部１６と液化ガス加熱部１７との両者を設けるようにすれば、ＬＰＧ（液化ガス）を蒸発させるための大きな熱量を与えることができるが、必要に応じて、天然ガス加熱部１６と液化ガス加熱部１７とのうちの一方を設ける形態で実施してもよい。
【００８９】
〔更なる別実施形態〕
次に、本発明の更なる別実施形態を説明するが、この別実施形態の基本的な構成は上記実施形態と同様であるので、上記実施形態と同様な構成については、上記実施形態と同様な符号を付して詳細な説明を省略する。
また、この更なる実施形態においては、一対の混合器Ｍについて同様な構成を備えさせることになるので、一対の混合器Ｍのうちの一方を代表として説明する。
【００９０】
図７に示すように、液化ガス供給口４から滲みだす状態で供給するＬＰＧ（液化ガス）を貯留する液化ガス供給部４Ａの底部に滞留するＬＰＧ（液化ガス）を回収タンクＴに流動させる回収路１８及び当該回収路１８を開閉する開閉弁１９が設けられている。
そして、混合器Ｍに対して天然ガスを流動させる際には、開閉弁１９を閉じ状態にし、混合器Ｍに対する天然ガスの供給を停止させた際には、開閉弁１９を開き状態にすることにより、液化ガス供給部４Ａの底部に滞留するＬＰＧ（液化ガス）を、回収路１８を通して流動させて回収タンクＴに回収させることができるように構成されている。
【００９１】
また、回収タンクＴに回収されたＬＰＧ（液化ガス）を複数の液化ガス供給口４に搬送する搬送部Ｊが設けられている。
当該搬送部Ｊは、回収タンクＴに回収されたＬＰＧ（液化ガス）を搬送する搬送ポンプ２０、ガス供給路１の天然ガスを搬送用圧力媒体として回収タンクＴに導く天然ガス導入路２１、及び、回収タンクＴに回収されたＬＰＧ（液化ガス）を液化ガス供給路１２に案内する液化ガス案内路２２を主要部として構成されている。
【００９２】
説明を加えると、液化ガス案内路２２における回収タンクＴに近接する側箇所に、搬送ポンプ２０が配置されるポンプ路部分２２Ａと、搬送ポンプ２０を迂回する迂回路部分２２Ｂとが並列状態で設けられ、ポンプ路部分２２Ａを開閉する第１弁２３Ａ及び迂回路部分２２Ｂを開閉する第２弁２３Ｂが設けられている。
また、天然ガス導入路２１には、当該天然ガス導入路２１を開閉する導入路開閉弁２４及び天然ガスの導入量を調整する導入量調整弁２５が設けられている。
【００９３】
そして、導入路開閉弁２４及び第２弁２３Ｂを閉じ且つ第１弁２３Ａを開いた状態で搬送ポンプ２０を作動させることにより、回収タンクＴに回収されているＬＰＧを液化ガス供給路１２に搬送するポンプ搬送状態となり、導入路開閉弁２４及び第２弁２３Ｂを開き且つ第１弁２３Ａを閉じることにより、天然ガスの圧力にて、回収タンクＴに回収されているＬＰＧを液化ガス供給路１２に搬送する天然ガス搬送状態となるように構成されている。
【００９４】
したがって、混合器Ｍに対する天然ガスの供給を停止した際に、回収路１８を開閉する開閉弁１９を開いて、液化ガス供給部４Ａの底部に滞留する液化ガスを、回収路１８を通して回収タンクＴに回収できるため、液化ガス供給部４Ａの底部に液化ガスが滞留した状態になることを回避できる。
ちなみに、混合器Ｍに天然ガスを供給する際には、回収路１８を開閉する開閉弁１９を閉じて、液化ガス供給部４Ａの内部のＬＰＧ（液化ガス）が回収タンクＴに流動しないようにする。
【００９５】
そして、回収タンクＴに回収されたＬＰＧ（液化ガス）を複数の液化ガス供給口４に搬送する搬送部Ｊが設けられているから、混合器Ｍに天然ガスを供給する際に、回収タンクＴに回収された液化ガスを複数の液化ガス供給口４に搬送することにより、回収タンクＴに回収された液化ガスを熱量調整用の液化ガスとして使用できる。
【００９６】
つまり、混合器Ｍの内部圧が高圧状態のときには、ポンプ搬送状態にして、搬送ポンプ２０の搬送力にて回収タンクＴに回収されたＬＰＧを搬送することができ、混合器Ｍの内部が脱圧されているときには、天然ガス搬送状態にして、天然ガスの圧力にて回収タンクＴに回収されたＬＰＧを搬送することができる。
【００９７】
ちなみに、詳細な説明は省略するが、運転制御部Ｈが、混合器Ｍを用いた熱量調整に応じた適正なタイミングにて、開閉弁１９の開閉制御や搬送部Ｊの搬送制御を実行することになる。
【００９８】
〔その他の別実施形態〕
以下、その他の別実施形態を列記する。
（１）上記実施形態、別実施形態及び更なる別実施形態においては、一対の混合器Ｍを備える場合を例示したが、３つ以上の混合器Ｍを備える場合においても、本発明は同様に実施できる。
例えば、一日のうちで天然ガスの消費量が多い時間帯では、３台の混合器Ｍを使用する目標流量が指令され、天然ガスの消費量が少ない時間帯では、１台の混合器Ｍを使用する目標流量が指令される場合を想定すると、混合器Ｍの台数は下記の通り判別されることになる。
【００９９】
増加処理では、１台の混合器Ｍに天然ガスを供給する状態から２台の混合器Ｍに天然ガスを供給する状態に切換えても、それら２台の混合器Ｍを通して流動する天然ガスの実流量が適正範囲の上限を超えることになるため、天然ガスを供給する混合器Ｍの台数を３台に増加させる必要があると判別されることになる。
減少処理では、３台の混合器Ｍに天然ガスを供給する状態から２台の混合器Ｍに天然ガスを供給する状態に切換えても、それら２台の混合器Ｍを通して流動する天然ガスの実流量が適正範囲の下限を下回ることになるため、天然ガスを供給する混合器Ｍの台数を１台に減少させる必要があると判別されることになる。
【０１００】
（２）上記実施形態、別実施形態及び更なる別実施形態においては、液化ガスとして、ＬＰＧを供給する場合を例示したが、液化ガスとしては、プロパンやブタン等を用いることができる。
【０１０１】
（３）上記実施形態、別実施形態及び更なる別実施形態においては、上手側熱量センサ５Ａと下手側熱量センサ５Ｂとを設けて、フィードフォワード制御形態とフィードバック制御形態とにより熱量調整を行う場合を例示したが、下手側熱量センサ５Ｂのみを設けて、フィードバック制御形態により熱量調整を行うようにしてもよい。
【０１０２】
（４）上記実施形態、別実施形態及び更なる別実施形態においては、天然ガスの熱量調整により都市ガスを製造する場合を例示したが、本発明の熱量調整装置は、都市ガス以外の各種ガスを製造する場合にも適用できるものである。
【０１０３】
尚、上記実施形態（別実施形態を含む）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【０１０４】
１      ガス供給路
４      液化ガス供給口
４Ａ    液化ガス供給部
１６    天然ガス加熱部
１７    液化ガス加熱部
１８    回収路
１９    開閉弁
Ｆ      天然ガス流動制御部
Ｇ      液化ガス流動制御部
Ｈ      運転制御部
Ｊ      搬送部
Ｍ      混合器
Ｒ１    入口側ガス流路
Ｒ２    出口側ガス流路
【図１】
2020147700.tif 000003
【図２】
2020147700.tif 000004
【図３】
2020147700.tif 000005
【図４】
2020147700.tif 000006
【図５】
2020147700.tif 000007
【図６】
2020147700.tif 000008
【図７】
2020147700.tif 000009